(57)【要約】【課題】シート背当部の前傾動作に連動してアームレストが自動的に跳ね上がるリンク機構が形成されながら、手動でもアームレストを起立させることができ、さらにその手動での跳ね上げの際、実開平５−４０３５７号のように、外方に突出して他の部材等と干渉してしまうという問題も何ら生じないシートを提供する。【解決手段】基端軸２０を中心として傾動自在なアームレスト２が、基端軸１２を中心として傾動自在なシート背当部１０の側方に備えられた建設機械のシート１を前提とする。このようなシート１に、前記アームレスト２の基端軸２０に対して遊転自在な回転体５であって、それが回転した際、アームレスト２のうち基端軸２０より前方の任意の部分を、下方から上方に向かって係止させることのできる係止部５０を備えた回転体５を配置させる。そして、該回転体５と、シート本体１とを、リンク体６で連結させて四節リンク機構を形成した。【選択図】　　　　図１
2004016633.tif 000002
【特許請求の範囲】
【請求項１】
基端軸を中心として傾動自在なアームレストが、傾動自在なシート背当部の側方に備えられた建設機械のシートにおいて、
前記アームレストの基端軸に対して遊転自在な回転体であって、それが回転した際、アームレストのうち基端軸より前方の任意の部分を、下方から上方に向かって係止させることのできる係止部を備えた回転体を配置させ、
該回転体と、シート本体とを、リンク体で連結させたことを特徴とする建設機械のシート。
【発明の詳細な説明】
【０００１】
【発明の属する技術分野】
この発明は、建設機械のキャブ内に配置されるシートに関する。
【０００２】
【従来の技術】
図２は建設機械のキャブ内のシートを示している。図示のようにシート１は、背当部１０が傾動自在なリクライニング機構を備えている。また、背当部１０の側方には、アームレスト２が傾動自在に備えられ、不要のときは手動で起立させるものとなっている。そして、座部１１の側方であって、前記アームレスト２の下方には、操作パネル３０やレバー３１が備えられるコンソール３が配置されている。
【０００３】
アームレスト２は通常傾倒させておくので、シート背当部１０を前傾させる際も、ついアームレスト２を起立させないことが多い。そうすると、図示上仮想線で示すように、アームスト２の先端がコンソール３にぶつかってしまい、コンソール３を破損してしまう事故や、操作パネル３０やレバー３１に触れてしまって誤動作が起こるといった問題があった。
【０００４】
このため、実開平５−４０３５８号や実開平５−４０３５７号において、リンク機構を用いてシート背当部１０を前傾させても、アームレスト２がコンソール３にぶつからないような技術が提案されている。すなわち、前者は図３に示すように、シート座部１１の後方４０と、アームレスト基端軸２０の近傍４１とをリンク棒４’で結合し、シート背当部１０を前傾させると、それに連動してリンク棒４が傾動し、その傾動によってアームレスト２が基端軸２０を中心として起きあがるという構造である。後者も図４に示すように、基本的には前者と同じリンク機構をとるものであるが、リンク体がワイヤ４からなる点で前者と異なる。いずれの構造でも、シート背当部１０を前傾させれば、リンク棒４’やワイヤ４の連動動作によって、アームレスト２を自動的に跳ね上げ、これにより、アームレスト２が操作パネル３０やレバー３１に衝突したり接触したりすることがない。
【０００５】
【発明が解決しようとする課題】
しかし一方で、図３に示す構造は、シート座部１１とアームレスト２とがリンク棒４’で結合されているので、シート背当部１０を前傾させないときには、アームレスト２が固定されてしまい、それ単体で起立させることができないものとなっていた。これに対し、図４に示す構造は、ワイヤ４で連結しているので、同図（ｂ）に示すようにワイヤ４の可撓性によってアームレスト２単体の跳ね上げが一応可能なものの、その状態では、撓んだワイヤ４が後方に突出するため、他の部品にひっかかるおそれがあるほか、オペレータと干渉するおそれもある。
【０００６】
この発明は、従来技術の以上のような問題に鑑み創案されたもので、シート背当部の前傾動作に連動してアームレストが跳ね上がるリンク機構を備えつつ、手動でもアームレストを何の問題もなく跳ね上げることのできるシートを提供しようとするものである。
【０００７】
【課題を解決しようとする手段】
このため、この発明に係る建設機械のシートは、その基端軸を中心として傾動自在なアームレストが、その基端軸を中心として傾動自在なシート背当部の側方に備えられた建設機械のシートにおいて、前記アームレストの基端軸に対して、遊転自在な回転体であって、それが回転した際、アームレストのうち基端軸より前方の任意の部分を、下方から上方に向かって係止させることのできる係止部を備えた回転体を配置させ、該回転体と、シート本体とを、リンク体で連結させたことを特徴とする。
【０００８】
本発明では、上記構成により、回転体及びシート本体とリンク体との各連結部と、アームレスト及びシート背当部の各基端軸とで四節リンク機構が形成される。シート背当部を前傾させると、リンク体も連動して前傾し、前傾側の連結部によって連結されている回転体は、アームレスト基端軸に対して遊転自在なため、その基端軸を中心に回転する。このとき、回転体の係止部は下方から上方に向かって、アームレストのうち基端軸より前方の任意の部分を係止しながら、さらなる回転によりアームレストを押し上げることになる。すなわち、シート背当部を前方に倒せば、リンク機構によりアームレストは連動して跳ね上がる。
【０００９】
一方、リンク体はアームレスト自体には連結されておらず、また回転体の係止部は下方から上方に向かってアームレストを係止させる構造となっているので、アームレストはそれ単体で上方に傾動させることができる。すなわち、シート背当部を傾動させなくても、手動でアームレストを跳ね上げることができる。このとき、ワイヤのような可撓性部材はないので、後方に撓むような部分もなく、安心して操作ができる。
【００１０】
【発明の実施の形態】
本発明の具体的実施形態例を図面に基づき説明する。なお、以下の形態例はあくまで一例であり、本発明が本形態例に限定されるものでないことは当然である。
【００１１】
図１は本発明が適用された一形態例の説明図であり、（ａ）はアームレスト及びその基端軸周囲の構造をシートの内側から見た状態図、（ｂ）は（ａ）の平面図、（ｃ）はシート全体の側面図である。
【００１２】
シート背当部１０は基端軸１２を中心として傾動自在となっており、そのシート背当部１０の両側に配置されるアームレスト２も基端軸２０を中心に傾動自在となっている。
【００１３】
前記アームレスト２の内方において、アームレスト基端軸２０には、前方側に係止爪５０、後方側にブラケット５１がそれぞれ延出して形成される円筒状回転体５が遊転自在に嵌挿され、基端軸２０を中心に回転自在となっている。アームレスト２の内面部のうち、基端軸２０より前方の箇所に、前記係止爪５０の上面に係止されるピン２１が形成される。また、シート１本体のうち前記基端軸１２の後方と、前記回転体５のブラケット５１先端とは、リンク棒６によってピン連結される（連結部６０，６１）。
【００１４】
本形態例では、以上の構造により、回転体５のブラケット５１先端及びシート１本体後方とリンク棒６との各ピン連結部６０，６１と、アームレスト２及びシート背当部１０の各基端軸２０，１２とで四節リンク機構が形成されており、このため同図（ｄ）に示すように、シート背当部１０を前傾させると、リンク棒６が連動して前傾し、これによりリンク棒６の前傾側ピン連結部６０（ブラケット側連結部）も下方に下がって、回転体５が基端軸２０を中心として回転することになる。この回転により、他方側の係止爪５０が上方に上がっていき、アームレスト２内面部のピン２１に当接すると同時に上に押し上げる。これによって、アームレスト２はシート背当部１０の前傾動作と同時に自動的に跳ね上げられることになる。
【００１５】
一方、本形態例では、前記リンク棒６がアームレスト２自体に連結されておらず、またアームレスト２を押し上げる回転体５の係止爪５０がピン２１の下方側に位置しているので、アームレスト２はそれ単体で上方に傾動させることができる。すなわち手動で跳ね上げることができる。
【００１６】
以上のように、本形態例では、シート背当部１０を前傾させれば、自動的にアームレスト２が跳ね上がるので、その前傾時、アームレスト２を起立させるのを忘れていても、アームレスト２先端がコンソール３等にぶつかるということが未然に防げる。また、建設機械の操作時、アームレスト２が不要のときは、それを手動で起立させることもできる。そして、本形態例のリンク機構を構成する部材はすべてシート１の内側に配置され、外方に突出する部材もないので、干渉する問題もなく、また美感上も良好な構造となっている。
【００１７】
なお、本形態例では、アームレスト２の内面部にピン２１を形成し、そのピン２１を回転体５の係止爪５０で係止する構成となっているが、例えば、回転体５の係止爪５０側に、アームレスト２の下面に当接自在な突出体を形成し、その突出体がアームレスト２下面を押し上げる構成のように、アームレスト２本体自体を係止する構成としてもよい。
【００１８】
【発明の効果】
以上説明したように、この発明に係る建設機械のシートによれば、シート背当部の前傾動作に連動してアームレストが跳ね上がるリンク機構を備えつつ、手動でもアームレストを何の問題もなく跳ね上げることができるものとなっている。
【図面の簡単な説明】
【図１】本発明が適用された一形態例の説明図であり、（ａ）はアームレスト及びその基端軸周囲の構造をシートの内側から見た状態図、（ｂ）は（ａ）の平面図、（ｃ）はシート全体の側面図である。
【図２】建設機械のシートの側面図である。
【図３】実開平５−４０３５８号において提案されるシートの側面図である。
【図４】実開平５−４０３５７号において提案されるシートの側面図である。
【符号の説明】
１　　　　シート
２　　　　アームレスト
３　　　　コンソール
５　　　　回転体
６　　　　リンク棒
【図１】
2004016633.tif 000003
【図２】
2004016633.tif 000004
【図３】
2004016633.tif 000005
【図４】
2004016633.tif 000006